(57)【要約】【課題】遊技球誘導部材を駆動変位せしめる回数を増やしたとしても、遊技球が入賞する確率を所定の確率に維持することが出来る、新規な構造の可動式入賞装置を提供することを、目的とする。【解決手段】遊技球誘導部材１６，１６によって誘導されてきた遊技球２３が遊技球検出手段３０に至るまでの位置において、遊技球２３を遊技領域５２へ排出する排出口２４（３２），４０が、遊技球誘導部材１６，１６の駆動状態に応じて、形成されるようにした。【選択図】図１
2009077917.tif 000002
【特許請求の範囲】
【請求項１】
駆動手段によって駆動変位せしめられて、遊技領域を流下する遊技球を遊技球検出手段へ誘導する遊技球誘導部材を備えており、かかる遊技球誘導部材によって誘導されてきた遊技球が該遊技球検出手段に至るまでの位置において、該遊技球誘導部材によって誘導されてきた該遊技球を該遊技領域へ排出する排出口が、該遊技球誘導部材の駆動状態に応じて、形成されるようにしたことを特徴とする可動式入賞装置。
【請求項２】
前記遊技球誘導部材が、一軸回りに揺動可能な状態で対向配置された一対の羽根部材によって構成されており、該一対の羽根部材が開いた傾動状態で、前記遊技領域を流下する遊技球を各羽根部材の揺動中心軸側へ誘導する誘導面が形成されるようになっていると共に、該一対の羽根部材のそれぞれにおいて揺動中心軸側に設けられたガイド片が協働することにより、該誘導面によって誘導されてきた遊技球を前記遊技球検出手段へ誘導する誘導通路が形成されるようになっている一方、該一対の羽根部材が閉じた起立状態で、該一対のガイド片が離隔位置せしめられて、該一対のガイド片の間に前記排出口が形成されるようになっている請求項１に記載の可動式入賞装置。
【請求項３】
遊技領域を流下する遊技球を遊技球検出手段へ誘導する遊技球ガイド部材が設けられており、該遊技球ガイド部材によって誘導されてきた遊技球が転動せしめられる転動ステージが設けられていると共に、該転動ステージが、固定的に設けられた固定ステージと、該固定ステージに対してスライド変位可能に設けられた可動ステージによって構成されており、該可動ステージが該固定ステージのほうへ接近変位せしめられた状態で、該転動ステージを転動する該遊技球を該遊技球検出手段のほうへ案内する案内通路が、該可動ステージと該固定ステージの間に形成されるようになっている一方、該可動ステージが該固定ステージに対して離隔変位せしめられた状態で、該可動ステージと該固定ステージの間に遊技球を該遊技領域へ排出する排出口が形成されるようになっていることを特徴とする可動式入賞装置。
【発明の詳細な説明】
【技術分野】
【０００１】
本発明は、パチンコ機の遊技領域に設けられる可動式入賞装置に関するものである。
【背景技術】
【０００２】
従来から、パチンコ機の遊技領域には、遊技領域を流下する遊技球の動きに変化を与えること等を目的として、各種の構造物が設けられている。その一つに、遊技領域を流下する遊技球が通過可能な入口が形成されており、かかる入口を通過した遊技球が近接スイッチ等で構成された遊技球検出手段によって検出された場合（以下、遊技球が入賞した場合とする）に所定数の遊技球が払い出されるように設定された入賞装置がある。
【０００３】
そこにおいて、入賞装置には、特許文献１に記載されているように、入口の近くに配された遊技球誘導部材としての一対の羽根部材を揺動変位せしめて、遊技領域を流下する遊技球を羽根部材によって入口のほうへ誘導することにより、入口の大きさを実質的に変更することが出来る可動式入賞装置がある。かかる可動式入賞装置においては、入口の大きさが実質的に変更可能とされていることから、遊技球が入賞する確率を高めることが可能となる。
【０００４】
ところで、パチンコ機で遊技をする遊技者にとって、特許文献１に記載の如き可動式入賞装置は、入口が拡大される回数、即ち、遊技球誘導部材が駆動変位せしめられる回数が多くなると、遊技者に有利な状態になっていると感じる。そこで、遊技者の興味を惹きつけるために、遊技球誘導部材を駆動変位せしめる回数を多くすることが考えられる。
【０００５】
しかしながら、ただ単に遊技球誘導部材を駆動変位せしめる回数を増やすだけでは、可動式入賞装置に入賞する遊技球の数も増えてしまい、パチンコ機が設置されている遊技ホールに不利益を及ぼしてしまうという問題があった。
【特許文献１】実用新案登録第２５８２８６６号公報
【発明の開示】
【発明が解決しようとする課題】
【０００６】
ここにおいて、本発明は、上述の如き事情を背景として為されたものであって、その解決課題とするところは、遊技球誘導部材を駆動変位せしめる回数を増やしたとしても、遊技球が入賞する確率を所定の確率に維持することが出来る、新規な構造の可動式入賞装置を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
本発明に係る可動式入賞装置は、駆動手段によって駆動変位せしめられて、遊技領域を流下する遊技球を遊技球検出手段へ誘導する遊技球誘導部材を備えており、かかる遊技球誘導部材によって誘導されてきた遊技球が遊技球検出手段に至るまでの位置において、遊技球誘導部材によって誘導されてきた遊技球を遊技領域へ排出する排出口が、遊技球誘導部材の駆動状態に応じて、形成されるようにしたことを、特徴とする。
【０００９】
このような本発明に従う構造とされた可動式入賞装置においては、遊技球誘導部材によって誘導されてきた遊技球が遊技球検出手段に至るまでの位置において、遊技球を遊技領域へ排出する排出口が、遊技球誘導部材の駆動状態に応じて、形成されるようになっていることから、遊技球誘導部材によって遊技球検出手段のほうへ誘導されてきた遊技球が、遊技球誘導部材の駆動状態によっては、遊技球検出手段によって検出されることなく、排出口から遊技領域へ排出されることがある。換言すれば、遊技球誘導部材によって遊技球検出手段のほうへ誘導されてきた遊技球の全てが遊技球検出手段によって検出される訳ではない。
【００１０】
従って、本発明においては、遊技球誘導部材を駆動変位せしめる回数を増やしたとしても、遊技球が遊技球検出手段によって検出される確率、即ち、遊技球が入賞する確率を所定の確率に維持することが出来るのである。
【００１１】
なお、本発明において、遊技球誘導部材は、遊技球を誘導不能な状態をとり得るものであっても良いし、遊技球を誘導することが困難な状態をとり得るものであっても良い。
【００１２】
また、本発明の排出口は、遊技球誘導部材が往復移動せしめられる場合、遊技球誘導部材が一方の移動端から他方の移動端へ移動するまでの間に、一回だけ形成されるようになっていても良いし、複数回形成されるようになっていても良い。
【００１３】
そこにおいて、本発明では、遊技球誘導部材が、一軸回りに揺動可能な状態で対向配置された一対の羽根部材によって構成されており、一対の羽根部材が開いた傾動状態で、遊技領域を流下する遊技球を各羽根部材の揺動中心軸側へ誘導する誘導面が形成されるようになっていると共に、一対の羽根部材のそれぞれにおいて揺動中心軸側に設けられたガイド片が協働することにより、誘導面によって誘導されてきた遊技球を遊技球検出手段へ誘導する誘導通路が形成されるようになっている一方、一対の羽根部材が閉じた起立状態で、一対のガイド片が離隔位置せしめられて、一対のガイド片の間に排出口が形成されるようになっていても良い。この場合、排出口を遊技球誘導部材の駆動状態に応じて形成することが有利に実現され得ることとなる。
【００１４】
また、本発明に係る可動式入賞装置は、遊技領域を流下する遊技球を遊技球検出手段へ誘導する遊技球ガイド部材が設けられており、かかる遊技球ガイド部材によって誘導されてきた遊技球が転動せしめられる転動ステージが設けられていると共に、転動ステージが、固定的に設けられた固定ステージと、固定ステージに対してスライド変位可能に設けられた可動ステージによって構成されており、可動ステージが固定ステージのほうへ接近変位せしめられた状態で、転動ステージを転動する遊技球を遊技球検出手段のほうへ案内する案内通路が、可動ステージと固定ステージの間に形成されるようになっている一方、可動ステージが固定ステージに対して離隔変位せしめられた状態で、可動ステージと固定ステージの間に遊技球を遊技領域へ排出する排出口が形成されることも、特徴とする。
【００１５】
このような本発明に従う構造とされた可動式入賞装置においては、遊技球ガイド部材によって誘導されてきた遊技球が遊技球検出手段に至るまでの位置において、遊技球を遊技領域へ排出する排出口が、固定ステージに対する可動ステージの位置に応じて、形成されるようになっていることから、遊技球ガイド部材によって誘導されてきた遊技球が、固定ステージに対する可動ステージの位置によっては、遊技球検出手段によって検出されることなく、排出口から遊技領域へ排出されるようになっている。従って、遊技球ガイド部材によって多くの遊技球が誘導せしめられる場合であっても、遊技球が遊技球検出手段によって検出される確率を所定の確率に維持することが可能となる。なお、遊技球ガイド部材は、駆動機構によって駆動変位せしめられる羽根形状乃至は扉形状のものであっても良いし、遊技領域に対して固定的に設けられた枠体形状のものであっても良い。
【発明を実施するための最良の形態】
【００１６】
以下、本発明を更に具体的に明らかにするために、本発明の実施形態について、図面を参照しつつ、詳細に説明する。
【００１７】
図１乃至図３には、本発明の第一実施形態としての可動式入賞装置１０が示されている。この可動式入賞装置１０は、本体部分１２に対して取付板１４が一体的に設けられた構造とされている。そして、取付板１４には、遊技球誘導部材としての一対の羽根部材１６，１６が、それぞれ、一軸回りに揺動可能な状態で設けられている。
【００１８】
一対の羽根部材１６，１６は、それぞれ、ＰＣ等の硬質の合成樹脂材料によって形成されており、図４乃至６に示されているように、幅方向一方の面が略平坦とされている一方、幅方向他方の面が円弧状に湾曲されており、それによって、長手方向一端側から他端側へ行くに従って幅寸法が次第に小さくなる形状とされている。
【００１９】
このような一対の羽根部材１６，１６は、それぞれ、図４乃至６に示されているように、厚さ方向に貫通形成された挿通孔１７に、取付板１４に形成された揺動中心軸としての支軸１９が収容配置された状態で、且つ、裏面に突設された連結軸（図示せず）が、取付板１４に形成された挿通孔（図示せず）に挿通配置された状態で、取付板１４の前面側に配置されるようになっている。
【００２０】
そして、この状態で、連結軸が、図示しないクランクを介して、本体部分１２に取り付けられた駆動手段としてのソレノイド１８のプランジャ（図示せず）に連結されている。その結果、ソレノイド１８への通電が行われた場合には、ソレノイド１８のプランジャがコイルスプリング（図示せず）の付勢力に抗して引込作動せしめられることにより、一対の羽根部材１６，１６が、それぞれ、支軸１９回りに揺動せしめられて、図４や図５に示されているように、一対の羽根部材１６，１６が開いた傾動状態となる一方、ソレノイド１８への通電が停止された場合には、ソレノイド１８のプランジャがコイルスプリングの付勢力によって突出作動せしめられることにより、一対の羽根部材１６，１６が、それぞれ、支軸１９回りに揺動せしめられて、図６に示されているように、一対の羽根部材１６，１６が閉じた起立状態となる。なお、本実施形態の場合、一対の羽根部材１６，１６が閉じた起立状態では、一対の羽根部材１６，１６の間には、遊技球１個分の隙間しか形成されていない。
【００２１】
そこにおいて、本実施形態では、各羽根部材１６の幅方向一方の面が略平坦な誘導面２０とされており、上述の如く、一対の羽根部材１６，１６が開いた傾動状態では、各羽根部材１６の誘導面２０が各羽根部材１６の支軸１９のほうに下る傾斜面となっている。
【００２２】
また、本実施形態では、各羽根部材１６の揺動中心軸（支軸１９）側において、外周面から外側へ突出するようにして、ガイド片２２が設けられている。特に本実施形態では、ガイド片２２は、羽根部材１６の厚さ寸法の全長に亘って形成されている。また、本実施形態では、図７に示されているように、各ガイド片２２の厚さ方向一方の面には、突出側端縁部において、基端側から突出端側へ下る傾斜面２１が形成されている。
【００２３】
そして、本実施形態では、図４に示されているように、一対の羽根部材１６，１６が最も開いた状態（最大傾動状態）では、一対のガイド片２２，２２の間に遊技球２３の直径よりも小さな隙間２４が形成されるようになっている。これにより、一対のガイド片２２，２２によって、取付板１４に開口形成された入球口２６へ向かう誘導通路２８が形成されるようになっている。特に本実施形態では、各ガイド片２２に形成された傾斜面２１の下流端が、入球口２６の開口周縁部に設けられたストッパ片２５よりも上方に位置せしめられており、それによって、一対のガイド片２２，２２による遊技球の入球口２６へのガイド作用が、ストッパ片２５によって邪魔されることなく発揮されるようになっている。そして、かかる入球口２６に入球した遊技球は、入球口２６の奥に配設された遊技球検出手段としての検出スイッチ３０によって検出されるようになっている。なお、検出スイッチ３０は、従来から公知の近接スイッチによって構成されており、適当な取付部材を介して、本体部分１２に取り付けられている。
【００２４】
また、本実施形態では、図５に示されているように、一対の羽根部材１６，１６が図４に示された最大傾動状態よりも僅かに起立せしめられた状態では、一対のガイド片２２，２２の間に形成された隙間２４は遊技球２３の直径よりも小さくされているが、各ガイド片２２に形成されている傾斜面２１の下流端が入球口２６の開口周縁部に設けられたストッパ片２５の上端面よりも下方に位置せしめられることにより、一対のガイド片２２，２２による遊技球の入球口２６へのガイド作用がストッパ片２５によって邪魔されて、遊技球２３が入球口２６に入球しないようになっている。即ち、遊技球は、ストッパ片２５によって、入球口２６の手前に停留されるようになっているのである。
【００２５】
その後、一対の羽根部材１６，１６が更に起立せしめられることにより、一対のガイド片２２，２２の間に形成された隙間２４が遊技球２３の直径よりも大きくなると、一対のガイド片２２，２２によって形成されていた誘導通路２８が消失して、かかる誘導通路２８の代わりに、落下穴３２が一対のガイド片２２，２２の間に出現するようになっている。即ち、落下穴３２は、入球口２６が形成されている取付板１４よりも手前側（遊技者側）に出現するようにするようになっているのである。そして、本実施形態では、一対のガイド片２２，２２の間に出現した落下穴３２は、一対の羽根部材１６，１６が起立状態（図６に示された状態）になっても存在し続けるようになっている。
【００２６】
すなわち、本実施形態では、遊技球誘導部材としての一対の羽根部材１６，１６が、所定の移動範囲で往復移動せしめられるようになっている。そして、その一方の移動端では、図６に示されているように、誘導通路２８を形成せずに、落下穴３２を形成する。また、他方の移動端では、図４に示されているように、誘導通路２８を形成して、落下穴３２を形成しない。
【００２７】
特に、かかる一対の羽根部材１６，１６は、誘導通路２８の形成状態においても、落下穴３２の開口幅を狭めることにより、具体的には、遊技球２３の外径寸法よりも僅かに小さな開口幅とすることにより、遊技球２３の通り抜けを阻止するようになっているに過ぎない。これにより、一対の羽根部材１６，１６は、一方の回動端（図６の起立状態）から他方の回動端（図４の最大傾動状態）に移動せしめられる際、実質的に他方の回動端に至るまでは、落下穴３２の開口幅が遊技球２３の外径寸法よりも大きく維持されており、落下穴３２が存在する構造とされている。また、反対に、一対の羽根部材１６，１６が他方の回動端から一方の回動端に移動せしめられる際には、僅かに移動を開始した時点で、誘導通路２８が消失するようになっている。
【００２８】
換言すれば、遊技球誘導部材としての一対の羽根部材１６，１６は、遊技領域５２を流下してきた遊技球を受けて入球口２６に案内する誘導通路２８と、また、受け入れた遊技球を入球口２６に入らないように遊技領域５２に戻してやる落下穴３２とを、その変位によって択一的に形成するものであり、特に本実施形態では、一方の移動端（図４の最大傾動状態）で誘導通路２８を形成するようになっていると共に、かかる一方の移動端を僅かに外れた場合には、誘導通路２８が消失し、その他の移動状態では、常時、落下穴３２を形成するようになっている。
【００２９】
その結果、一対の羽根部材１６，１６によって遊技領域５２を流下する遊技球が拾われたとしても、検出スイッチ３０によって検出されない確率のほうが検出スイッチ３０によって検出される確率よりも高く設定されているのである。
【００３０】
さらに、本実施形態では、一対の羽根部材１６，１６を前方から覆うカバー部材３４が取付板１４に取り付けられている。そこにおいて、本実施形態のカバー部材３４は、カバー板３６に対して一対の連結脚３８，３８が設けられた構造とされており、一対の連結脚３８，３８が一対の羽根部材１６，１６の下方に位置するようにして取付板１４に対して固定的に取り付けられることにより、カバー板３６が一対の羽根部材１６，１６の前方に位置せしめられて、一対の羽根部材１６，１６が前方からカバー板３６で覆われるようになっている。
【００３１】
そして、このようにしてカバー部材３４が取付板１４に設けられた状態で、一対の連結脚３８，３８の間に形成された隙間４０は、一対のガイド片２２，２２の間に形成される隙間２４の下方に位置せしめられるようになっている。これにより、一対のガイド片２２，２２の間に形成される隙間２４を通過した遊技球が、一対の連結脚３８，３８の間に形成された隙間４０も通過するようになっている。その結果、遊技球が遊技領域５２に排出されることとなる。即ち、本実施形態では、常時、遊技球が通過可能な大きさとされている隙間４０の上方において、遊技球が通過可能な大きさと通過不能な大きさに変化する隙間２４が位置せしめられており、隙間２４が遊技球が通過可能な大きさとされている場合、即ち、落下穴３２が形成されている場合には、遊技球が隙間２４（落下穴３２）と隙間４０を通じて遊技領域５２に排出されるようになっている。なお、このことから明らかなように、本実施形態では、隙間２４（落下穴３２）と隙間４０によって、排出口が構成されている。
【００３２】
また、本実施形態では、一対の連結脚３８，３８によって、一対の羽根部材１６，１６の傾動端が規定されるようになっており、一対の羽根部材１６，１６の傾動端が一対の連結脚３８，３８で規定された状態が、図４に示された最大傾動状態とされている。
【００３３】
更にまた、本実施形態では、カバー板３６にスリット４２が形成されており、かかるスリット４２を通じて、一対のガイド片２２，２２によって形成された誘導通路２８で誘導される遊技球や一対のガイド片２２，２２の間に形成された落下穴３２から排出される遊技球の動きを視認出来るようになっている。従って、本実施形態では、カバー板３６を有色透明乃至は無色透明にする必要はなく、カバー板３６を透明でない材料で形成することが可能となる。なお、カバー板３６を透明な材料で形成することも、勿論可能である。
【００３４】
また、本実施形態では、取付板１４の上端において、遊技球が入球可能な入賞口４４が設けられており、かかる入賞口４４に入賞した遊技球は、排出路４６によって排出された後、従来から公知の近接スイッチによって構成された入賞検出スイッチ（図示せず）によって検出されるようになっている。なお、入賞口４４は、起立状態とされた一対の羽根部材１６，１６の間に形成された隙間を遊技球が通過することが出来ない位置に設けられており、それによって、本実施形態の遊技球誘導部材（一対の羽根部材１６，１６）は遊技球を誘導不能な状態をとるようになっている。そして、このことから明らかなように、本実施形態では、遊技球誘導部材としての一対の羽根部材１６，１６は、遊技領域５２を流下してきた遊技球を受けることなく、入球口２６に入らないように、そのまま流下させる機能を有している。
【００３５】
このような構造とされた可動式入賞装置１０は、図８に示されているように、遊技盤４８を構成する遊技板５０に形成された遊技領域５２に設けられるようになっている。具体的には、遊技板５０に形成された貫通孔（図示せず）に本体部分１２が挿通配置されて、取付板１４が遊技板５０の表面に重ね合わせられた状態で、取付板１４が遊技板５０に対してネジ止めされることにより、可動式入賞装置１０が遊技領域５２に固定的に設けられるようになっている。
【００３６】
なお、遊技盤４８は、図示しないパチンコ機の中枠に取り付けられることで、パチンコ機に備えつけられるようになっており、パチンコ機の中枠に突設された操作ハンドル（図示せず）に対して回動操作可能に組み付けられた操作レバー（図示せず）を遊技者が回動操作することにより、中枠に設けられた発射球貯留皿（図示せず）に貯留されている遊技球が発射されるようになっている。
【００３７】
そして、発射された遊技球は、遊技領域５２を流下する際において、一対の羽根部材１６，１６が最大傾動状態である場合には、一対の羽根部材１６，１６で拾われて、誘導面２０によって誘導された後、誘導通路２８を通って入球口２６に入球し、検出スイッチ３０によって検出されるようになっている。なお、一対の羽根部材１６，１６は、例えば、遊技領域５２に設けられたゲートを遊技球が通過することによって行われる抽選に当たる等した場合に、所定回数揺動せしめられるようになっている。また、検出スイッチ３０によって検出された遊技球は、遊技盤４８の裏側に排出されるようになっている。
【００３８】
一方、一対の羽根部材１６，１６が最大傾動状態ではなく、最大傾動状態へ向けて、或いは、起立状態へ向けて駆動せしめられている状態では、一対の羽根部材１６，１６で拾われた遊技球は、誘導面２０によって誘導されても、隙間２４（落下穴３２）及び隙間４０を通って遊技領域５２に排出されるようになっており、検出スイッチ３０によって検出されることはない。
【００３９】
従って、上述の如き構造とされた可動式入賞装置１０においては、一対の羽根部材１６，１６の開閉回数を増やしたとしても、一対の羽根部材１６，１６で拾われた遊技球の全てが検出スイッチ３０によって検出されるわけではないことから、遊技球が入賞する確率を所定の確率に設定することが可能となる。
【００４０】
そこにおいて、本実施形態では、一対の羽根部材１６，１６のそれぞれに設けられたガイド片２２を利用して、誘導通路２８や排出口を構成する落下穴３２が形成されるようになっていることから、一対の羽根部材１６，１６の動きに連動させて、誘導通路２８や排出口を構成する落下穴３２を形成することが容易となる。その結果、誘導通路２８や排出口を構成する落下穴３２を形成するための機構を簡単にすることが可能となる。
【００４１】
続いて、本発明の第二実施形態としての可動式入賞装置５４について、図９乃至図１１に基づいて説明する。なお、本実施形態や後述する第三実施形態において、第一実施形態と同様な構造とされた部材及び部位については、図中に、第一実施形態と同一の符号を付すことにより、それらの詳細な説明を省略する。
【００４２】
本実施形態の可動式入賞装置５４は、第一実施形態の可動式入賞装置（１０）に比して、一対の羽根部材１６，１６で拾われた遊技球の全てが、カバー部材３４における一対の連結脚３８，３８の間に形成された隙間４０を通じて下方に落下するようになっており、取付板１４に対して入球口（２６）が形成されておらず、検出スイッチ（３０）も設けられていない。
【００４３】
また、本実施形態では、隙間４０を通じて落下してきた遊技球が転動する転動ステージ５６が、一対の羽根部材１６，１６の下方に設けられている。即ち、本実施形態では、各羽根部材１６によって遊技球ガイド部材が構成されているのである。
【００４４】
この転動ステージ５６は、縦壁５８の長手方向一端から長手方向中央部分に亘って縦壁５８に対して固定的に設けられた固定ステージ６０と、縦壁５８に形成されたガイド穴６２に沿って移動可能に配された可動ステージ６４によって構成されている。
【００４５】
なお、縦壁５８は、カバー部材３４におけるカバー板３６に対して取り付けられるようになっている。そこにおいて、カバー板３６は有色透明乃至は無色透明な材料によって形成されており、それによって、転動ステージ５６を転動する遊技球の動きを外部から視認することが可能とされている。
【００４６】
また、可動ステージ６４は、固定ステージ６０とは反対側の端部において縦壁５８側に突設された操作ロッド６６が、ソレノイド６８のプランジャ７０に連結されたクランク７２に取り付けられている。これにより、ソレノイド６８への通電時には、図１０に示されているように、プランジャ７０がコイルスプリング７３の付勢力に抗して引込作動せしめられて、可動ステージ６４に設けられた操作ロッド６６が縦壁５８に設けられたガイド穴６２に沿って動かされると、可動ステージ６４がガイド穴６２に沿って動き、固定ステージ６０のほうへ移動するようになっている。一方、ソレノイド６８への通電が停止された場合には、図１１に示されているように、プランジャ７０がコイルスプリング７３の付勢力によって突出作動せしめられて、可動ステージ６４に設けられた操作ロッド６６が縦壁５８に設けられたガイド穴６２に沿って動き、可動ステージ６４が固定ステージ６０から離れる方向へ移動するようになっている。
【００４７】
そして、可動ステージ６４が固定ステージ６０に接近した位置では、可動ステージ６４と固定ステージ６０の間には、遊技球７４の直径よりも小さな隙間７６が形成されて、遊技球７４を案内する誘導通路としての案内通路７８が形成されるようになっている。そこにおいて、縦壁５８には、案内通路７８によって案内されてきた遊技球７４が通過する入球口８０が形成されており、かかる入球口８０を通過した遊技球は、遊技球検出手段としての検出スイッチ８２によって検出されるようになっている。なお、検出スイッチ８２は、従来から公知の近接スイッチによって構成されており、縦壁５８に対して適当な取付部材を介して取り付けられている。
【００４８】
一方、可動ステージ６４が固定ステージ６０から離れた位置では、可動ステージ６４と固定ステージ６０の間に形成されている隙間７６は遊技球７４の直径よりも大きくなり、それによって、案内通路７８が消失し、その代わりに、排出口８４が出現するようになっている。
【００４９】
このような構造とされた可動式入賞装置５４においては、遊技領域５２を流下する遊技球が一対の羽根部材１６，１６で拾われると、転動ステージ５６に案内されてくるようになっている。なお、本実施形態では、遊技領域５２を流下する遊技球は、一対の羽根部材１６，１６で拾われない限り、転動ステージ５６を転動することはない。
【００５０】
そして、遊技球が転動ステージ５６に案内されてきた際に、転動ステージ５６に案内通路７８が形成されていれば、かかる案内通路７８を通って遊技球が入球口８０に入球した後、検出スイッチ８２によって検出されるようになっている一方、転動ステージ５６に排出口８４が形成されていれば、かかる排出口８４を通って遊技球が遊技領域５２に排出されるようになっている。なお、検出スイッチ８２によって検出された遊技球は、第一実施形態と同様に、遊技盤４８の裏側へ排出されるようになっている。
【００５１】
従って、本実施形態の可動式入賞装置５４においても、第一実施形態と同様な効果を得ることが出来る。
【００５２】
続いて、本発明の第三実施形態の可動式入賞装置８６について、図１２に基づいて説明する。本実施形態の可動式入賞装置８６は、第一実施形態の可動式入賞装置（１０）の下方に対して、第二実施形態の可動式入賞装置（５４）で採用されていた転動ステージ５６が設けられた構造とされている。なお、転動ステージ５６を構成する各種部材及び部位については、図中に、第二実施形態と同一の符号を付すことにより、それらの詳細な説明を省略することにする。
【００５３】
このような構造とされた可動式入賞装置８６においては、一対の羽根部材１６，１６が最大傾動状態である場合には、遊技領域５２を流下する遊技球が一対の羽根部材１６，１６で拾われて、誘導面２０によって誘導された後、誘導通路２８を通って入球口２６に入球し、検出スイッチ３０によって検出されるようになっている。なお、検出スイッチ３０によって検出された遊技球は、遊技盤４８の裏側に排出されるようになっている。
【００５４】
一方、一対の羽根部材１６，１６が最大傾動状態ではなく、最大傾動状態へ向けて、或いは、起立状態へ向けて駆動せしめられている状態では、一対の羽根部材１６，１６で拾われた遊技球は、誘導面２０によって誘導されても、落下穴３２及び隙間４０を通って転動ステージ５６に落下するようになっており、検出スイッチ３０によって検出されることはない。
【００５５】
そして、転動ステージ５６に案内されてきた遊技球は、転動ステージ５６に案内通路７８が形成されていれば、かかる案内通路７８を通って入球口８０に入球した後、検出スイッチ８２によって検出されるようになっている。なお、検出スイッチ８２によって検出された遊技球は、遊技盤４８の裏側へ排出されるようになっている。
【００５６】
一方、転動ステージ５６に排出口８４が形成されていれば、かかる排出口８４を通って遊技球が遊技領域５２に排出されるようになっている。
【００５７】
従って、本実施形態の可動式入賞装置８６においても、第一実施形態と同様な効果を得ることが出来る。
【００５８】
また、本実施形態では、一対の羽根部材１６，１６で拾われた遊技球が検出スイッチ３０によって検出されなかった場合でも、検出スイッチ８２によって検出される可能性があることから、遊技者に対して、一対の羽根部材１６，１６で拾われた遊技球の行方に興味を持たせ続けることが可能となる。
【００５９】
以上、本発明の幾つかの実施形態について詳述してきたが、これらはあくまでも例示であって、本発明は、かかる実施形態における具体的な記載によって、何等、限定的に解釈されるものではない。
【００６０】
例えば、前記第二実施形態において、一対の羽根部材１６，１６の代わりに、扉状部材によって遊技球誘導部材を構成するようにしても良い。
【００６１】
また、前記第一実施形態において、入賞口４４は必ずしも必要ではない。そこにおいて、入賞口４４が設けられていない場合には、起立状態とされた一対の羽根部材１６，１６の間に形成された隙間の大きさが遊技球１個分とされていることから、一対の羽根部材１６，１６が起立せしめられた状態では、一対の羽根部材１６，１６で遊技球を誘導することは難しい。従って、このような場合、遊技球誘導部材（一対の羽根部材１６，１６）は、遊技球を誘導することが困難な状態をとることになる。
【００６２】
さらに、前記第一実施形態において、カバー部材３４は必ずしも必要ではなく、カバー部材３４における一対の連結脚３８，３８に相当する部材が取付板１４に突設されていれば良い。
【００６３】
更にまた、前記第一乃至第三実施形態において、起立状態とされた一対の羽根部材１６，１６の間に形成される隙間は、遊技球１個分よりも大きくても良い。
【００６４】
なお、前記第二実施形態において、一対の羽根部材１６，１６で拾われた遊技球の全てを検出する検出センサを設けるようにしても良い。具体的には、一対の羽根部材１６，１６で拾われた遊技球が転動ステージ５６に到達するまでの間に必ず通過する領域（例えば、図９では明示されていないが、カバー部材３４における一対の連結脚３８，３８の間に形成された隙間４０の下方等）に遊技球の検出センサを設けるようにしても良い。この場合、一対の羽根部材１６，１６で拾われた遊技球の全てを検出する検出センサによって遊技球が検出されると、例えば、遊技領域５２に設けられた特別図柄表示装置に表示される特別図柄の変動表示が開始されるようにする一方、検出スイッチ８２で遊技球が検出されると、遊技球の払い出しをするようにしても良い。
【００６５】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６６】
【図１】本発明の第一実施形態としての可動式入賞装置を示す斜視図であって、可動式入賞装置を上から見た斜視図。
【図２】同可動式入賞装置の底面図。
【図３】同可動式入賞装置の右側面図。
【図４】同可動式入賞装置における一対の羽根部材の作動状態を示す正面図であって、一対の羽根部材の最大傾動状態を示す正面図。
【図５】同可動式入賞装置における一対の羽根部材の作動状態を示す正面図であって、一対の羽根部材の傾動状態を示す正面図。
【図６】同可動式入賞装置における一対の羽根部材の作動状態を示す正面図であって、一対の羽根部材の起立状態を示す正面図。
【図７】同可動式入賞装置における一対の羽根部材が傾動せしめられた状態を示す斜視図。
【図８】同可動式入賞装置が遊技領域に設けられた状態を示す正面図。
【図９】本発明の第二実施形態としての可動式入賞装置を示す正面図。
【図１０】同可動式入賞装置における転動ステージの作動状態を示す鳥瞰図。
【図１１】同可動式入賞装置における転動ステージの他の作動状態を示す鳥瞰図。
【図１２】本発明の第三実施形態としての可動式入賞装置を示す正面図。
【符号の説明】
【００６７】
１０：可動式入賞装置，１６：羽根部材，１８：ソレノイド，２２：ガイド片，２３：遊技球，３０：検出スイッチ，３２：排出口，５２：遊技領域
【図１】
2009077917.tif 000003
【図２】
2009077917.tif 000004
【図３】
2009077917.tif 000005
【図４】
2009077917.tif 000006
【図５】
2009077917.tif 000007
【図６】
2009077917.tif 000008
【図７】
2009077917.tif 000009
【図８】
2009077917.tif 000010
【図９】
2009077917.tif 000011
【図１０】
2009077917.tif 000012
【図１１】
2009077917.tif 000013
【図１２】
2009077917.tif 000014